(57)【要約】【課題】ＺＩＦソケットのロック位置、非ロック位置を検出する装置を提供する。【解決手段】ロック位置と非ロック位置との間で可動であるロック機構（１０６）を有するＺＩＦソケット（１０２）と、光を出射するように構成される光源（２０８）と、光検出器（２１０）であって、光源（２０８）が出射した光に露光される第１の状態、及び光源（２０８）が出射した光に露光されない第２の状態の、２つの状態を出力する光検出器（２１０）とを備え、ロック機構（１０６）は、非ロック位置からロック位置へ移動すると、光源（２０８）が出射する光の向きを変え、それにより、光検出器（２１０）が２つの状態の一方から２つの状態の他方に変わる装置を提供する。【選択図】図２Ａ
2008277290.tif 000002
【特許請求の範囲】
【請求項１】
ロック位置と非ロック位置との間で可動であるロック機構を有するＺＩＦソケットと、
光を出射するように構成される光源と、
光検出器であって、前記光源が出射した光に露光される第１の状態、及び前記光源が出射した光に露光されない第２の状態の、２つの状態を出力する光検出器とを備え、
前記ロック機構は、前記非ロック位置から前記ロック位置へ移動すると、前記光源が出射する光の向きを変え、それにより、前記光検出器が前記２つの状態の一方から前記２つの状態の他方に変わることを特徴とする装置。
【請求項２】
前記ロック機構は、前記光源が出射する光が前記光検出器に到達することを阻止することにより、前記光源が出射する前記光の向きを変え、前記ロック機構が前記非ロック位置から前記ロック位置へ移動すると、前記光検出器が前記第２の状態から前記第１の状態へ切り替わることを特徴とする請求項１に記載の装置。
【請求項３】
前記ロック機構は、前記光源が出射する前記光を前記光検出器に反射させることにより、前記光源が出射する光の向きを変え、前記ロック機構が前記非ロック位置から前記ロック位置へ移動すると、前記光検出器が前記第１の状態から前記第２の状態へ切り替わることを特徴とする請求項１に記載の装置。
【請求項４】
前記ＺＩＦソケット、前記光源及び前記光検出器は、プリント回路基板に取り付けられることを特徴とする請求項１に記載の装置。
【請求項５】
前記光源及び前記光検出器は、前記ＺＩＦソケットに取り付けられることを特徴とする請求項１に記載の装置。
【請求項６】
光源から光を出射することと、
ＺＩＦソケットのロック機構が非ロック位置からロック位置へ移動すると、前記光源からの光の変化を検出することであって、前記ＺＩＦソケットの前記ロック機構は、前記非ロック位置から前記ロック位置へ移動すると、前記光源からの前記出射された光の向きを変え、このことによって、光検出器が２つの状態の一方から前記２つの状態の他方に変わり、前記光検出器は、前記光源が出射した光に露光されると第１の状態を出力し、前記光源が出射した光に露光されなければ第２の状態を出力する、前記光源からの光の変化を検出することとを含むことを特徴とするＺＩＦソケットがロックされる時を検出する方法。
【請求項７】
前記ロック機構は、前記光源が出射する前記光が前記光検出器に到達することを阻止することにより、前記光源が出射する光の向きを変え、前記ロック機構が前記非ロック位置から前記ロック位置へ移動すると、前記光検出器は前記第２の状態から前記第１の状態へ切り替わることを特徴とする請求項６に記載の方法。
【請求項８】
前記ロック機構は、前記光源が出射する前記光を前記光検出器に反射させることにより、前記光源が出射する光の向きを変え、前記ロック機構が前記非ロック位置から前記ロック位置へ移動すると、前記光検出器は前記第１の状態から前記第２の状態へ切り替わることを特徴とする請求項６に記載の方法。
【請求項９】
前記ＺＩＦソケット、前記光源及び前記光検出器は、プリント回路基板に取り付けられることを特徴とする請求項６に記載の方法。
【請求項１０】
ＺＩＦソケットをプリント回路基板に取り付けることであって、前記ＺＩＦソケットはロック位置と非ロック位置との間で可動であるロック機構を有する、プリント回路基板に取り付けることと、
光を出射するように構成される光源を前記プリント回路基板に取り付けることと、
光検出器を前記プリント回路基板に取り付けることであって、前記光検出器は、前記光源が出射した光に露光される第１の状態、及び前記光源が出射した光に露光されない第２の状態の、２つの状態を出力し、前記ロック機構は、前記非ロック位置から前記ロック位置へ移動すると、前記光源が出射する光の向きを変え、このことによって、前記光検出器が前記２つの状態の一方から前記２つの状態の他方に変わるようにする、前記プリント回路基板に取り付けることとを含むことを特徴とする、ＺＩＦソケットのロック機構の状態を検出するシステムを製造する方法。
【発明の詳細な説明】
【技術分野】
【０００１】
本発明は、ソケット用自動ロック検出に関する。
【背景技術】
【０００２】
中央処理装置（ＣＰＵ）は通常、ソケットを使用してコンピュータのマザーボードに取り付けられる。ＣＰＵでのピン密度が高いため、ソケットは通常、ゼロインサーションフォース（ＺＩＦ）ソケットである。通常の集積回路（ＩＣ）ソケットは、ＩＣがばね式接点に押し込まれ、次いでこれが摩擦によって把持される必要がある。数百ものピンを有するＩＣの場合、総挿入力はかなり大きくなり（数十ニュートン）、挿入の際に装置へ損傷を与える危険につながる可能性がある。ローインサーションフォース（ＬＩＦ）ソケットは、抜き差しの問題を低減したが、従来のソケットのより小さい挿入力により、接続部の信頼性が低くなる可能性が高い。ＺＩＦソケットを用いる場合、ＩＣを挿入する前に、ソケットの側部にあるレバー又はスライダを動かし、すべてのばね式接点が分離するようにして、これによりＩＣを非常にわずかな力で挿入できる（一般的に、ＩＣ自身の重みは外部からの下向きの力を必要としないほど十分なものである）。次に、レバーを戻し、接点をＩＣのピンに近接させると共にこれを把持させる。ＺＩＦソケットは、標準的なＩＣソケットよりも非常に高価であり、基板領域を広く占有する傾向もある。したがって、ＺＩＦソケットは通常、最も高価なＩＣ、例えばＣＰＵにのみ使用される。
【０００３】
ＺＩＦソケットは、例えばピングリッドアレイ（ＰＧＡ）及びランドグリッドアレイ（ＬＧＡ）等の多様な型で提供されている。ＰＧＡソケットは、プロセッサの下面のピンをソケットに挿入することによって働く。これとは対照的に、ランドグリッドアレイ（ＬＧＡ）は、プロセッサ上のパッドと接触するソケット側のピンを有することにより働く。
【発明の開示】
【発明が解決しようとする課題】
【０００４】
ＰＧＡソケット及びＬＧＡソケットの両方を含むすべてのＺＩＦソケットは、ＩＣがＺＩＦソケットに挿入されるとＩＣを所定の位置に近接させるか又はそこにロックするのに使用される機構を有する。この機構は、摺動運動又は回転を用いて起動し得る。ソケットが誤ってロックされないままである場合、通常、システム故障が起こる。ソケットの幾何学的形状、及びＩＣとソケットとの間の最初のロックされていない接続部（ある場合）によっては、故障が間欠的に起こる可能性があり、すなわち初期期間が幾分経過した後に故障が起こる可能性がある。プリント回路（ＰＣ）基板が装置に設置されてしまうと、ロックされていないソケットを検出することは難しい可能性がある。
【０００５】
Benavidesによる米国特許第６，７８６，７６１号（以下特許‘７６１号）は、ＺＩＦソケットレバーの状態を検出するシステム及び方法を開示している。特許‘７６１号により教示されるシステム及び方法は、ＺＩＦソケット内を巡る電気回路を使用し、この場合、回路は、ＺＩＦソケットレバーを使用して、ＺＩＦソケットレバーがロック位置にあると回路を完成することにより起動される。特許‘７６１号により教示されるシステム及び方法を用いる場合、いくつかの限定事項がある。１つの限定事項は、上記方法を実施するのにＺＩＦソケット内の多数のピンを用いるということである。ＩＣのコネクタ密度は高くなり続けるため、ソケットがロック位置にある時を検出するためにソケットのピンを用いることは不都合である。別の問題は、電気回路の一部としてロックレバーを用いることである。これは、ロック機構の可能な幾何学的形状を制限するか、又はソケットに接地問題若しくはＲＦＩ問題（高周波妨害）を導入する可能性がある。
【課題を解決するための手段】
【０００６】
本発明の装置は、ロック位置と非ロック位置との間で可動であるロック機構を有するＺＩＦソケットと、光を出射するように構成される光源と、光検出器であって、光源が出射した光に露光される第１の状態、及び光源が出射した光に露光されない第２の状態の、２つの状態を出力する光検出器とを備え、ロック機構は、非ロック位置からロック位置へ移動すると、光源が出射する光の向きを変え、それにより、光検出器が２つの状態の一方から２つの状態の他方に変わることを特徴とする。
【発明を実施するための最良の形態】
【０００７】
図１〜図２Ｂ及び以下の説明は、本発明の最良の形態を作製及び使用する方法を当業者に教示する特定の例を示す。本発明の原則を教示するために、いくつかの従来の態様は簡略化されるか又は省略されている。当業者は、本発明の範囲内にある、これらの例の変形形態を理解するであろう。当業者は、以下に説明する特徴を種々の方法で組み合わせて、本発明の多数の変形形態を成すことができることを理解するであろう。この結果、本発明は以下に説明する特定の例には限定されず、特許請求の範囲及びこれらの均等物によってのみ限定される。
【０００８】
図１は、本発明の例示による一実施形態のＺＩＦソケット１０２の上面ブロック図である。ＺＩＦソケット１０２は、複数の接触位置１０４及びロック機構１０６を有する。ロック機構１０６は（実線で示すような）非ロック位置で示されている。ＺＩＦソケット１０２をロックするために、ロック機構１０６が、ＺＩＦソケットにより画定される平面に対して垂直な軸を中心に、破線で示される位置まで時計回りに回転する。他のタイプのロックする動き（摺動運動、ＺＩＦソケットにより画定される平面内に含まれる軸を中心とした回転等を含む）を用いて、ＺＩＦソケットをロックしてもよい。ＺＩＦソケット１０２は、ＰＧＡアーキテクチャ及びＬＧＡアーキテクチャを含む任意タイプのＺＩＦアーキテクチャを使用してもよい。
【０００９】
図２Ａは、本発明の例示による一実施形態のＺＩＦソケット１０２の側面ブロック図である。ＺＩＦソケット１０２は、ロック機構１０６、光源又はエミッタ２０８、及び光検出器２１０を備える。ロック機構１０６が（実線で示すような）非ロック位置にある場合、光源２０８が出射した光２２０は上方へ、光検出器２１０から離れる方向へ移動する。ロック機構１０６が（破線で示すような）ロック位置にある場合、光源２０８が出射した光２２０は上方へ移動した後、光検出器２１０へ戻るように向きを変えられる。光は、反射、散乱等により光検出器２１０へ戻るように向きを変えられ得る。本発明の例示による一実施形態では、リフレクタ又は遮光板（flag）がロック機構１０６の端部に取り付けられて、光検出器２１０へ光の向きを変えるのに役立ち得る。
【００１０】
光検出器２１０は、光源２０８が出射した光に露光される第１の状態、及び光源２０８が出射した光に露光されない第２の状態の、少なくとも２つの異なる状態を出力するように構成される。光検出器２１０は、主に光源２０８が出射した光に反応するように構成され得る。本発明の例示による一実施形態では、光源２０８が出射した光の周波数に合致する光のみを通すフィルタが、光検出器２１０に取り付けられ得る。本発明の例示による別の実施形態では、光検出器は光源２０８が出射した光の周波数にのみ反応するものであってもよい。光源２０８は、白熱電球、発光ダイオード（ＬＥＤ）、レーザ等を含む、光を出射する任意のタイプの装置であり得る。
【００１１】
本発明の例示による一実施形態では、光源２０８及び光検出器２１０は、プリント回路（ＰＣ）基板上のＺＩＦソケット１０２が取り付けられる場所の隣に取り付けられてもよい。この構成では、光源２０８及び光検出器２１０は、ＺＩＦソケット１０２のいかなるピンも使用しない。本発明の例示による別の実施形態では、光源２０８及び光検出器２１０は、ＺＩＦソケット１０２に直接取り付けられてもよい。ＺＩＦソケットがロック位置にある時を検出するために光の向きを変えることを用いることにより、ＺＩＦソケットは検出装置又は検出回路から電気的に分離されたままであることができる。
【００１２】
図２Ｂは、本発明の例示による代替の一実施形態のＺＩＦソケット１０２の側面ブロック図である。ＺＩＦソケット１０２は、ロック機構１０６、光源又はエミッタ２０８、及び光検出器２１０を備える。ロック機構１０６が（実線で示すような）非ロック位置にある場合、光源２０８が出射した光２２０は上方へ、光検出器２１０内へ移動する。ロック機構１０６が（破線で示すような）ロック位置にある場合、光源２０８が出射した光２２０は、光検出器２１０に到達するのを阻止される。本発明の例示による一実施形態では、フラッグをロック機構１０６の端部に取り付けて、光の光検出器２１０への到達を阻止することを助けてもよい。
【図面の簡単な説明】
【００１３】
【図１】本発明の例示による一実施形態のＺＩＦソケットの上面ブロック図である。
【図２Ａ】本発明の例示による一実施形態のＺＩＦソケットの側面ブロック図である。
【図２Ｂ】本発明の例示による代替の一実施形態のＺＩＦソケットの側面ブロック図である。
【符号の説明】
【００１４】
１０２  ＺＩＰソケット
１０６  ロック機構
２０８  光源
２１０  光検出器
【図１】
2008277290.tif 000003
【図２Ａ】
2008277290.tif 000004
【図２Ｂ】
2008277290.tif 000005